(57)【要約】【課題】画像形成不良等を起こす虞のない平版印刷版用原版の裁断方法を提供する。【解決手段】積重されている平版印刷版用原版２の裁断部に添ってクランプ４を載置し、クランプ４によって前記積重されている平版印刷版用原版２を押し付け、クランプ４に添って裁断刃３で前記積重されている平版印刷版用原版２を裁断する平版印刷版用原版２の裁断方法であって、平版印刷版用原版２の積重体１の高さがｙの場合、クランプ４の前記裁断部に垂直な方向の厚みｘを、ｘ＋（ｙ／４）＜３０ｍｍを満足するように設定することを特徴とする。【選択図】　　図１
2004082529.tif 000002
【特許請求の範囲】
【請求項１】
積重されている平版印刷版用原版の裁断部に添ってクランプを載置し、該クランプによって前記積重されている平版印刷版用原版を押し付け、前記クランプに添って裁断刃で前記積重されている平版印刷版用原版を裁断する平版印刷版用原版の裁断方法であって、前記平版印刷版用原版の積重体の高さがｙの場合、前記クランプの前記裁断部に垂直な方向の厚みｘを、ｘ＋（ｙ／４）＜３０ｍｍを満足するように設定することを特徴とする平版印刷版用原版の裁断方法。
【発明の詳細な説明】
【０００１】
【発明の属する技術分野】
本発明は、平版印刷版用原版の裁断方法に関するもので、特には、積重された平版印刷版用原版の裁断に適した裁断方法に関するものである。
【０００２】
【従来の技術】
平版印刷版用原版は、長尺のアルミニウム板に感光液が塗布され、乾燥された後、適宜な長さに裁断される。このように裁断された平版印刷版用原版は、数十〜百数十枚単位で積重され、ユーザの印刷機に合わせたサイズに裁断されて保管または出荷される。
【０００３】
ところで、積重された平版印刷版用原版の裁断は、裁断部に添って最上層の平版印刷版用原版にクランプを載置し、該クランプによって積重された平版印刷版用原版を押し付けながら、裁断刃で裁断される。その際、平版印刷版用原版を真っ直ぐに下方へ裁断するためには、平版印刷版用原版のズレをなくす必要があるため、クランプの押し付け力を大きくしなければならない。
しかしながら、クランプの押し付け力を大きくすると、その圧力によって平版印刷版用原版のクランプの押し付け部に傷や圧力かぶりが発生し、それによって所望の画像形成ができなくなる場合があった。
【０００４】
【発明が解決しようとする課題】
そこで、本発明は、上記従来の技術の欠点を克服し、画像形成不良等を起こす虞のない平版印刷版用原版の裁断方法を提供することを目的とする。
【０００５】
【課題を解決するための手段】
発明者は、クランプの押し圧力、クランプの形状等を変えて実験を行ったところ、ある条件下で上記目的を達成できることを見い出した。
即ち、本発明は、積重されている平版印刷版用原版の裁断部に添ってクランプを載置し、該クランプによって前記積重されている平版印刷版用原版を押し付け、前記クランプに添って裁断刃で前記積重されている平版印刷版用原版を裁断する平版印刷版用原版の裁断方法であって、前記平版印刷版用原版の積重体の高さがｙの場合、前記クランプの前記裁断部に垂直な方向の厚みｘを、ｘ＋（ｙ／４）＜３０ｍｍを満足するように設定することを特徴とする平版印刷版用原版の裁断方法である。
【０００６】
この平版印刷版用原版の裁断方法によれば、クランプの幅を小さく設定するため、クランプの押し圧力を高くする必要がある。したがって、それによって傷の発生は増大する虞があるが、シートの裁断部近傍の傷の長さは小さくなり、少なくとも画像形成範囲には及ばない。
裁断部近傍に発生する傷の長さは、クランプの幅ｘが小さければ、それだけ小さくなるが、クランプの幅ｘが小さくなる程、クランプの押し圧力を大きくしなければならない。したがって、クランプの幅は、上記条件を満足する範囲でできる限り大きいことが好ましい。
【０００７】
【発明の実施の形態】
以下に本発明を図面に示した実施の形態に基づいて説明する。
図１は、本発明に係る平版印刷版用原版の裁断方法で平版印刷版用原版を裁断する状態を模式的に示している。
図１において、符号１は多数枚（例えば、１００枚）の平版印刷版用原版２が積重された平版印刷版用原版の積重体であり、符号３は裁断刃、４はクランプである。そして、平版印刷版用原版２には片面に感光樹脂（図示せず）が塗布されている。
【０００８】
この積重平版印刷版用原版１を裁断するには、裁断部（裁断しようとうする直線部分）に添って平版印刷版用原版の積重体１上にクランプ４を載置し、該クランプで積重体１に下方向の負荷を与え、その状態を維持したまま、裁断刃３で裁断部を裁断する。
また、本発明の切断方法が適用できる平版印刷版用原版とは、支持体上に感光層を有するものである。
該平版印刷版用原版としては、その感光層の種類によって、光照射により現像液もしくは印刷用湿し水に対する溶解速度が向上するポジ型と、光照射により溶解速度が減少するネガ型に分類され、さらに照射光源波長によって紫外域に分光感度を有するジアゾ型、紫外〜可視域に分光感度を有するフォトポリマー型、銀塩型、赤外域に分光感度を有するサーマル型等に分類される。
本発明の切断方法に適用できる平版印刷版用原版としては、上記の感光層を有する公知のものが挙げられる。
【０００９】
【実施例】
以下、本発明を実施例によりさらに具体的に説明するが、本発明はその要旨を越えない限り、以下の実施例に限定されるものではない。
実施例１：
富士写真フィルム製ネガ型平版印刷版用原版ＬＰ−ＮＳ２を５０ｍｍの高さに積載し、ドイツ、シュナイダー製セネクター１８５型ギロチン（裁断刃３）を用い、平版印刷版用原版の積重体１を幅ｘが３ｍｍのクランプ４にて上部より押さえつけた状態で裁断を行った。
そして、富士写真フィルム製ＣＥＬＩＣ８０００ＣＴＰを用いて２００μＪ／ｃｍ２の条件にて全面露光し、富士写真フィルム製現像液ＤＶ−１（１：８で水道水希釈したもの）および富士写真フィルム製ＬＰ−８５０Ｐ自動現像機を用いて処理を行ったところ裁断部近傍に、表１に示した幅の画像部未形成部分が生じた。
【００１０】
実施例２：
富士写真フィルム製ポジ型平版印刷版用原版ＬＨ−ＰＩ（ＰＳ版２）を５０ｍｍの高さに積載し、幅ｘが３ｍｍのクランプ４にて上部より押さえつけた状態で裁断刃３によって裁断を行った。
そして、露光装置としてＣｒｅｏ社製トレンドセッター３２４４を用い、１２０ｍＪ／ｃｍ２条件にて５０％網点面積の平網画像を露光し、富士写真フィルム製現像液ＤＰ−１（１：８で水道水希釈したもの）および富士写真フィルム製ＰＳ−９００Ｈ自動現像機を用いて処理を行ったところ裁断部近傍に、表１に示した幅の画像部未形成部分が生じた。
【００１１】
比較例１：
上記実施例１と同じ平版印刷版用原版を５０ｍｍの高さに積載し、その積重体１を幅ｘが従来と同じ８０ｍｍのクランプ４で押さえ、上記実施例１と同じ方法で裁断および製版を行ったところ、裁断部近傍に、表１に示した幅の画像部未形成部分が生じた。
【００１２】
比較例２：
上記実施例２と同じ平版印刷版用原版を５０ｍｍの高さに積載し、その積重体１を幅ｘが従来と同じ８０ｍｍのクランプ４で押さえ、上記実施例２と同じ方法で裁断および製版を行ったところ、裁断部近傍に、表１に示した幅の画像部未形成部分が生じた。
【００１３】
【表１】
2004082529.tif 000003
【００１４】
表１において、実施例１、２の場合は、裁断部近傍の画像部未形成部分の幅が１０ｍｍ以内に収まり、比較例１、２に比べて大幅に小さくなった。また、実施例１、２の場合、縁部１０ｍｍよりも内側には、画像部未形成部分は皆無であった。
【００１５】
【発明の効果】
以上説明したように、本発明に係る平版印刷版用原版の裁断方法によれば、積み重ねられた平版印刷版用原版を裁断する場合に、クランプの押し圧力を高くする必要があるため、それによって傷や圧力かぶりの発生は増大する虞があるが、シートの裁断部近傍の傷や圧力かぶりの範囲は小さくなり、少なくとも画像形成範囲には及ばない。したがって、画像形成不良等を起こす虞はない。
【図面の簡単な説明】
【図１】本発明に係る裁断方法で平版印刷版用原版を裁断する状態を示した模式図である。
【符号の説明】
１　平版印刷版用原版の積重体
２　平版印刷版用原版
３　裁断刃
４　クランプ
【図１】
2004082529.tif 000004